【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
回転可能な本体側係合部を有する電子写真画像形成装置本体に装着可能なプロセスカートリッジであって、
前記プロセスカートリッジの装着方向と実質直交する回転軸線を中心として回転可能な感光ドラムと、
前記感光ドラムに作用するプロセス手段と、
その回転軸線が前記感光ドラムの回転軸線と実質平行で回転駆動伝達が行われるべく前記本体側係合部との係合が可能な第１姿勢と、その回転軸線の先端側が前記装着方向下流側に傾いた第２姿勢と、の間を傾動可能なカップリング部材と、
を有し、
前記カップリング部材は、前記装着時に前記第２姿勢をとることにより、前記本体側係合部との係合がなされるように構成されていることを特徴とするプロセスカートリッジ。
【請求項２】
前記カップリング部材は、前記装着に伴い前記第２姿勢から前記第１姿勢へと移行することにより、前記本体側係合部との係合がなされるように構成されている請求項１に記載のプロセスカートリッジ。
【請求項３】
前記カップリング部材は、前記装着に伴い前記第２姿勢から前記第１姿勢へと移行することにより、その一部が前記本体側係合部の前記装着方向下流側に廻り込むように構成されたことを特徴とする請求項１または２に記載のプロセスカートリッジ。
【請求項４】
前記感光ドラムに固定され、前記カップリング部材から前記回転力が伝達される回転力被伝達部材を有し、
前記カップリング部材は前記回転力被伝達部材に傾動可能に連結されていることを特徴とする請求項１乃至３のいずれか１項に記載のプロセスカートリッジ。
【請求項５】
前記本体側係合部はその先端に半球面を有しており、
前記カップリング部材は、前記カップリング部材が前記本体側係合部から前記回転力を受けている状態で前記半球面に付勢される凹部を有することを特徴とする請求項１乃至４のいずれか１項に記載のプロセスカートリッジ。
【請求項６】
前記凹部は、前記感光ドラムから前記本体側係合部へ向かうにしたがって前記カップリング軸線からの距離が広がる広がり部を有しており、
前記広がり部が前記半球面に付勢されるように構成されたことを特徴とする請求項５に記載のプロセスカートリッジ。
【請求項７】
前記カップリング部材は、前記装着に伴い、前記本体側係合部との当接を経て前記第２姿勢から前記第１姿勢へと移行するように構成されたことを特徴とする請求項１乃至６のいずれか１項に記載のプロセスカートリッジ。
【請求項８】
前記カップリング部材は、前記装着に伴い前記本体側係合部から受けた力によって、前記第２姿勢から前記第１姿勢へと移行するように構成されたことを特徴とする請求項１乃至７のいずれか１項に記載のプロセスカートリッジ。
【請求項９】
前記プロセスカートリッジの前記装着方向は下方であり、
前記カップリング部材は、その自重により前記第２姿勢に位置する状態から、前記装着に伴い前記本体側係合部から受けた力によって前記第１姿勢へと移行するように構成されたことを特徴とする請求項８に記載のプロセスカートリッジ。
【請求項１０】
前記感光ドラムから前記本体側係合部へ向けて前記カップリング部材を付勢する付勢部材を有することを特徴とする請求項１乃至７のいずれか１項に記載のプロセスカートリッジ。
【請求項１１】
前記カップリング部材は、前記装着に伴い前記付勢部材から受けた力により前記第２姿勢から前記第１姿勢へと移行するように構成されたことを特徴とする請求項１０に記載のプロセスカートリッジ。
【請求項１２】
前記カップリング部材は、前記第２姿勢から前記第１姿勢へと移行するときに、前記付勢部材の付勢方向へ移動するように構成されたことを特徴とする請求項１１に記載のプロセスカートリッジ。
【請求項１３】
前記カップリング部材は、前記装着に伴い、前記本体側係合部から受けた力により前記第１姿勢から前記第２姿勢へと移行した後に前記付勢部材から受けた力により前記第２姿勢から前記第１姿勢へ移行するように構成されたことを特徴とする請求項１０に記載のプロセスカートリッジ。
【請求項１４】
前記カップリング部材は、前記第１姿勢から前記第２姿勢への移行に伴い前記付勢部材の付勢方向とは反対方向へ移動し、前記第２姿勢から前記第１姿勢への移行に伴い前記付勢部材の付勢方向へ移動するように構成されたことを特徴とする請求項１３に記載のプロセスカートリッジ。
【請求項１５】
前記カップリング部材を前記第１姿勢から前記第２姿勢へ向けて付勢する傾動補助付勢部材を有することを特徴とする請求項１乃至８のいずれか１項に記載のプロセスカートリッジ。
【請求項１６】
前記カップリング部材が前記第２姿勢のときに、前記カップリング部材の回転軸線が前記感光ドラムの回転軸線となす角度が２０〜６０°となるように構成されたことを特徴とする請求項１乃至１５のいずれか１項に記載のプロセスカートリッジ。
【請求項１７】
回転可能な本体側係合部を有する電子写真画像形成装置本体に装着可能なドラムユニットであって、
前記ドラムユニットの装着方向と実質直交する回転軸線を中心として回転可能な感光ドラムと、
その回転軸線が前記感光ドラムの回転軸線と実質平行で回転駆動伝達が行われるべく前記本体側係合部との係合が可能な第１姿勢と、その回転軸線の先端側が前記装着方向下流側に傾いた第２姿勢と、の間を傾動可能なカップリング部材と、
を有し、
前記カップリング部材は、前記装着時に前記第２姿勢をとることにより、前記本体側係合部との係合がなされるように構成されていることを特徴とするドラムユニット。
【請求項１８】
前記カップリング部材は、前記装着に伴い前記第２姿勢から前記第１姿勢へと移行することにより、前記本体側係合部との係合がなされるように構成されている請求項１７に記載のドラムユニット。
【請求項１９】
前記カップリング部材は、前記装着に伴い前記第２姿勢から前記第１姿勢へと移行することにより、その一部が前記本体側係合部の前記装着方向下流側に廻り込むように構成されたことを特徴とする請求項１７または１８に記載のドラムユニット。
【請求項２０】
前記感光ドラムに固定され、前記カップリング部材から前記回転力が伝達される回転力被伝達部材を有し、
前記カップリング部材は前記回転力被伝達部材に傾動可能に連結されていることを特徴とする請求項１７乃至１９のいずれか１項に記載のドラムユニット。
【請求項２１】
前記本体側係合部はその先端に半球面を有しており、
前記カップリング部材は、前記カップリング部材が前記本体側係合部から前記回転力を受けている状態で前記半球面に付勢される凹部を有することを特徴とする請求項１７乃至２０のいずれか１項に記載のドラムユニット。
【請求項２２】
前記凹部は、前記感光ドラムから前記本体側係合部へ向かうにしたがって前記カップリング軸線からの距離が広がる広がり部を有しており、
前記広がり部が前記半球面に付勢されるように構成されたことを特徴とする請求項２１に記載のドラムユニット。
【請求項２３】
前記カップリング部材は、前記装着に伴い、前記本体側係合部との当接を経て前記第２姿勢から前記第１姿勢へと移行するように構成されたことを特徴とする請求項１７乃至２２のいずれか１項に記載のドラムユニット。
【請求項２４】
前記カップリング部材は、前記装着に伴い前記本体側係合部から受けた力によって、前記第２姿勢から前記第１姿勢へと移行するように構成されたことを特徴とする請求項１７乃至２３のいずれか１項に記載のドラムユニット。
【請求項２５】
前記ドラムユニットの前記装着方向は下方であり、
前記カップリング部材は、その自重により前記第２姿勢に位置する状態から、前記装着に伴い前記本体側係合部から受けた力によって前記第１姿勢へと移行するように構成されたことを特徴とする請求項２４に記載のドラムユニット。
【請求項２６】
前記感光ドラムから前記本体側係合部へ向けて前記カップリング部材を付勢する付勢部材を有することを特徴とする請求項１７乃至２３のいずれか１項に記載のドラムユニット。
【請求項２７】
前記カップリング部材は、前記装着に伴い前記付勢部材から受けた力により前記第２姿勢から前記第１姿勢へと移行するように構成されたことを特徴とする請求項２６に記載のドラムユニット。
【請求項２８】
前記カップリング部材は、前記第２姿勢から前記第１姿勢へと移行するときに、前記付勢部材の付勢方向へ移動するように構成されたことを特徴とする請求項２７に記載のドラムユニット。
【請求項２９】
前記カップリング部材は、前記装着に伴い、前記本体側係合部から受けた力により前記第１姿勢から前記第２姿勢へと移行した後に前記付勢部材から受けた力により前記第２姿勢から前記第１姿勢へ移行するように構成されたことを特徴とする請求項２７に記載のドラムユニット。
【請求項３０】
前記カップリング部材は、前記第１姿勢から前記第２姿勢への移行に伴い前記付勢部材の付勢方向とは反対方向へ移動し、前記第２姿勢から前記第１姿勢への移行に伴い前記付勢部材の付勢方向へ移動するように構成されたことを特徴とする請求項２９に記載のドラムユニット。
【請求項３１】
前記カップリング部材を前記第１姿勢から前記第２姿勢へ向けて付勢する傾動補助付勢部材を有することを特徴とする請求項１７乃至２４のいずれか１項に記載のドラムユニット。
【請求項３２】
前記カップリング部材が前記第２姿勢のときに、前記カップリング部材の回転軸線が前記感光ドラムの回転軸線となす角度が２０〜６０°となるように構成されたことを特徴とする請求項１７乃至３１のいずれか１項に記載のドラムユニット。
【請求項３３】
記録媒体に画像を形成する電子写真画像形成装置において、
回転可能な本体側係合部を有する電子写真画像形成装置本体と、
前記電子写真画像形成装置本体に装着可能なドラムユニットであって、
ｉ）前記ドラムユニットの装着方向と実質直交する回転軸線を中心として回転可能な感光ドラムと、
ｉｉ）その回転軸線が前記感光ドラムの回転軸線と実質平行で回転駆動伝達が行われるべく前記本体側係合部との係合が可能な第１姿勢と、その回転軸線の先端側が前記装着方向下流側に傾いた第２姿勢と、の間を傾動可能なカップリング部材と、
を有し、
前記カップリング部材は、前記装着時に前記第２姿勢をとることにより、前記本体側係合部との係合がなされるように構成されているドラムユニットと、
を有することを特徴とする電子写真画像形成装置。
【請求項３４】
前記カップリング部材は、前記装着に伴い前記第２姿勢から前記第１姿勢へと移行することにより、前記本体側係合部との係合がなされるように構成されている請求項３３に記載の電子写真画像形成装置。
【請求項３５】
前記カップリング部材は、前記装着に伴い前記第２姿勢から前記第１姿勢へと移行することにより、その一部が前記本体側係合部の前記装着方向下流側に廻り込むように構成されたことを特徴とする請求項３３又は３４に記載の電子写真画像形成装置。
【請求項３６】
前記ドラムユニットは、前記感光ドラムに固定され、前記カップリング部材から前記回転力が伝達される回転力被伝達部材を有し、
前記カップリング部材は前記回転力被伝達部材に傾動可能に連結されていることを特徴とする請求項３３乃至３５のいずれか１項に記載の電子写真画像形成装置。
【請求項３７】
前記本体側係合部はその先端に半球面を有しており、
前記カップリング部材は、前記カップリング部材が前記本体側係合部から前記回転力を受けている状態で前記半球面に付勢される凹部を有することを特徴とする請求項３３乃至３６のいずれか１項に記載の電子写真画像形成装置。
【請求項３８】
前記凹部は、前記感光ドラムから前記本体側係合部へ向かうにしたがって前記カップリング軸線からの距離が広がる広がり部を有しており、
前記広がり部が前記半球面に付勢されるように構成されたことを特徴とする請求項３７に記載の電子写真画像形成装置。
【請求項３９】
前記カップリング部材は、前記装着に伴い、前記本体側係合部との当接を経て前記第２姿勢から前記第１姿勢へと移行するように構成されたことを特徴とする請求項３３乃至３８のいずれか１項に記載の電子写真画像形成装置。
【請求項４０】
前記カップリング部材は、前記装着に伴い前記本体側係合部から受けた力によって、前記第２姿勢から前記第１姿勢へと移行するように構成されたことを特徴とする請求項３３乃至３９のいずれか１項に記載の電子写真画像形成装置。
【請求項４１】
前記ドラムユニットの前記装着方向は下方であり、
前記カップリング部材は、その自重により前記第２姿勢に位置する状態から、前記装着に伴い前記本体側係合部から受けた力によって前記第１姿勢に移行するように構成されたことを特徴とする請求項４０に記載の電子写真画像形成装置。
【請求項４２】
前記ドラムユニットは、前記感光ドラムから前記本体側係合部へ向けて前記カップリング部材を付勢する付勢部材を有することを特徴とする請求項３３乃至３９のいずれか１項に記載の電子写真画像形成装置。
【請求項４３】
前記カップリング部材は、前記装着に伴い前記付勢部材から受けた力により前記第２姿勢から前記第１姿勢へと移行するように構成されたことを特徴とする請求項４２に記載の電子写真画像形成装置。
【請求項４４】
前記カップリング部材は、前記第２姿勢から前記第１姿勢へと移行するときに、前記付勢部材の付勢方向へ移動するように構成されたことを特徴とする請求項４３に記載の電子写真画像形成装置。
【請求項４５】
前記カップリング部材は、前記装着に伴い、前記本体側係合部から受けた力により前記第１姿勢から前記第２姿勢へと移行した後に前記付勢部材から受けた力により前記第２姿勢から前記第１姿勢へ移行するように構成されたことを特徴とする請求項４２に記載の電子写真画像形成装置。
【請求項４６】
前記カップリング部材は、前記第１姿勢から前記第２姿勢への移行に伴い前記付勢部材の付勢方向とは反対方向へ移動し、前記第２姿勢から前記第１姿勢への移行に伴い前記付勢部材の付勢方向へ移動するように構成されたことを特徴とする請求項４５に記載の電子写真画像形成装置。
【請求項４７】
前記カップリング部材を前記第１姿勢から前記第２姿勢へ向けて付勢する傾動補助付勢部材を有することを特徴とする請求項３３乃至４０のいずれか１項に記載の電子写真画像形成装置。
【請求項４８】
前記カップリング部材が前記第２姿勢のときに、前記カップリング部材の回転軸線が前記感光ドラムの回転軸線となす角度が２０〜６０°となるように構成されたことを特徴とする請求項３３乃至４７のいずれか１項に記載の電子写真画像形成装置。
【請求項４９】
前記ドラムユニットは、前記感光ドラムに作用するプロセス手段を有するプロセスカートリッジであることを特徴とする請求項３３乃至４８のいずれか１項に記載の電子写真画像形成装置。
【手続補正２】
【補正対象書類名】明細書
【補正対象項目名】００２２
【補正方法】変更
【補正の内容】
【００２２】
前記課題を解決するための本発明は、
回転可能な本体側係合部を有する電子写真画像形成装置本体に装着可能なプロセスカートリッジであって、
前記プロセスカートリッジの装着方向と実質直交する回転軸線を中心として回転可能な感光ドラムと、
前記感光ドラムに作用するプロセス手段と、
その回転軸線が前記感光ドラムの回転軸線と実質平行で回転駆動伝達が行われるべく前記本体側係合部との係合が可能な第１姿勢と、その回転軸線の先端側が前記装着方向下流側に傾いた第２姿勢と、の間を傾動可能なカップリング部材と、
を有し、
前記カップリング部材は、前記装着時に前記第２姿勢をとることにより、前記本体側係合部との係合がなされるように構成されているプロセスカートリッジである。
【手続補正３】
【補正対象書類名】明細書
【補正対象項目名】００２３
【補正方法】変更
【補正の内容】
【００２３】
また、前記課題を解決するための他の本発明は、
回転可能な本体側係合部を有する電子写真画像形成装置本体に装着可能なドラムユニットであって、
前記ドラムユニットの装着方向と実質直交する回転軸線を中心として回転可能な感光ドラムと、
その回転軸線が前記感光ドラムの回転軸線と実質平行で回転駆動伝達が行われるべく前記本体側係合部との係合が可能な第１姿勢と、その回転軸線の先端側が前記装着方向下流側に傾いた第２姿勢と、の間を傾動可能なカップリング部材と、
を有し、
前記カップリング部材は、前記装着時に前記第２姿勢をとることにより、前記本体側係合部との係合がなされるように構成されていることを特徴とするドラムユニットである。
【手続補正４】
【補正対象書類名】明細書
【補正対象項目名】００２４
【補正方法】変更
【補正の内容】
【００２４】
また、前記課題を解決するための他の本発明は、
記録媒体に画像を形成する電子写真画像形成装置において、
回転可能な本体側係合部を有する電子写真画像形成装置本体と、
前記電子写真画像形成装置本体に装着可能なドラムユニットであって、
ｉ）前記ドラムユニットの装着方向と実質直交する回転軸線を中心として回転可能な感光ドラムと、
ｉｉ）その回転軸線が前記感光ドラムの回転軸線と実質平行で回転駆動伝達が行われるべく前記本体側係合部との係合が可能な第１姿勢と、その回転軸線の先端側が前記装着方向下流側に傾いた第２姿勢と、の間を傾動可能なカップリング部材と、
を有し、
前記カップリング部材は、前記装着時に前記第２姿勢をとることにより、前記本体側係合部との係合がなされるように構成されている電子写真画像形成装置である。
【手続補正５】
【補正対象書類名】明細書
【補正対象項目名】００１６
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００７３
【補正方法】変更
【補正の内容】
【００７３】
開口部１５０ｍは、カップリング１５０が装置本体Ａに装着された状態で、駆動軸１８０側に向かって広がった拡開部（広がり部）としての円錐形状の駆動軸受け面１５０ｆを有する。受け面１５０ｆは、図８（ｆ）に示すように凹部１５０ｚを構成している。尚、前記凹部１５０ｚは、軸線Ｌ２方向において、感光体ドラム１０７の設けられた側とは反対側に開口部１５０ｍ（開口）を有する。